(57)【要約】【課題】簡単な構成で、容易な操作により施錠を行うことができるねじ栓の施錠装置を提供する。【解決手段】タンク本体の開口部１２にはねじ栓１５が螺合されて開口部１２が閉塞される。ねじ栓１５上には係合突起１７が設けられ、該係合突起１７には施錠孔１８が透設されている。ねじ栓１５上には、タンク本体の開口部１２に対して回動が規制される第１回り止め金具１９と、その上に重ねて配置され第１回り止め金具１９に対して回動が規制される第２回り止め金具２０とが配置される。第１回り止め金具１９の第１係合孔１９ｂは係合突起１７が回動可能となるように円孔状に形成され、第２回り止め金具２０の第２係合孔２１は十字状に形成され、直交方向で係合突起１７に係合できるようになっている。そして、施錠孔１８に鍵をかけることにより、ねじ栓１５による閉塞状態を保持できるように構成されている。【選択図】図１
2007326615.tif 000002
【特許請求の範囲】
【請求項１】
ねじ栓が本体に螺合されて開口部を閉塞し、該ねじ栓上に突設された係合突起には施錠孔を設けると共に、前記係合突起が挿通される係合孔を有し、該係合孔に挿通された状態で本体に対して回動が規制される回り止め金具を備え、前記施錠孔に鍵をかけることにより回り止め金具の抜け止めを行い、ねじ栓による閉塞状態を保持するための施錠装置であって、
前記回り止め金具の係合孔が交差する方向に延び、両方向で係合突起に係合できるように構成されていることを特徴とするねじ栓の施錠装置。
【請求項２】
前記ねじ栓は、タンク本体の開口部に設けられているものであることを特徴とする請求項１に記載のねじ栓の施錠装置。
【請求項３】
前記回り止め金具の係合孔は十字状に延び、直交方向で係合突起に係合できるように構成されていることを特徴とする請求項１又は請求項２に記載のねじ栓の施錠装置。
【請求項４】
前記回り止め金具は、本体に対して回動が規制される第１回り止め金具と、その上に重ねて配置され第１回り止め金具に対して回動が規制される第２回り止め金具とを備え、第１回り止め金具の第１係合孔は係合突起が回動可能となるように円孔状に形成され、第２回り止め金具の第２係合孔は交差する方向に延び、両方向で係合突起に係合できるように構成されていることを特徴とする請求項１又は請求項２に記載のねじ栓の施錠装置。
【発明の詳細な説明】
【技術分野】
【０００１】
本発明は、ガソリン、灯油、重油等を貯蔵するための地下タンク貯蔵装置などのタンク本体の開口部にねじ栓による閉塞状態を保持するためのねじ栓の施錠装置に関するものである。
【背景技術】
【０００２】
燃料タンク等における給油口蓋は、給油口からタンク内に給油した後、タンク内に雨やごみが入らないようにするためのものであるが、屋外に設置される燃料油タンク等では夜間に給油口蓋を開けて油が抜き取られる場合や異物が混入される場合がある。そのような事態を未然に防止するために、給油口蓋には施錠装置が設けられることがある。
【０００３】
係る施錠装置としては、例えば特許文献１に記載されている燃料タンク等における給油口蓋の施錠装置が知られている。すなわち、燃料油を貯蔵するタンクの上面には円筒形の給油口ニップルが設けられ、該給油口ニップルには、所定角度以上回して給油口ニップルに螺合接続される給油口蓋が被せられている。この給油口蓋の周縁には回り止め金具としてのワイヤーロープが係合され、そのワイヤーロープと給油口ニップル以外の付属物とが鍵にて係合施錠されるようになっている。この場合、ワイヤーロープと鍵は給油口蓋が所定角度以下の回転しか許容しないように緊張状態の長さに設定されている。そして、給油口からタンク内に給油した後、ワイヤーロープと付属物とを鍵にて施錠し、再度給油口を使用する場合には鍵を開錠して付属物よりワイヤーロープを離脱させる。
【０００４】
しかしながら、回り止め金具として長いワイヤーロープを使用しているため、施錠時にはそのワイヤーロープを付属物に係合して鍵にて施錠する必要があり、また開錠時には鍵を開錠した後に付属物よりワイヤーロープを離脱させる必要があることから、そのような作業が面倒である。このため、そのような回り止め金具としてワイヤーロープを使用しないタイプの施錠装置が知られている。すなわち、給油口蓋上には係合突起が設けられ、その係合突起には施錠孔が透設されると共に、両端が折曲げられてコの字状に形成された回り止め金具の係合孔に前記係合突起が嵌挿されている。係る回り止め金具の両端部が燃料タンク本体の外周部に沿って回動し、燃料タンク本体の外周部に突設された回動規制突起に当接してそれ以上の回動が防止されるようになっている。
【特許文献１】特開２００４−２８４６４４号公報（第２頁〜第４頁）
【発明の開示】
【発明が解決しようとする課題】
【０００５】
ところが、上記従来の施錠装置においては、給油口蓋が給油口ニップルに螺合接続されていることから、雄ねじと雌ねじの螺刻部の長さなどにより螺合接続後の位置が一定していない。そのため、回り止め金具の施錠孔に給油口蓋上の係合突起を嵌挿して回り止め金具を給油口蓋に係合させようとしたとき、回り止め金具の端部が燃料タンク本体の回動規制突起に当たって回り止め金具を給油口蓋に係合させることができない場合がある。つまり、回り止め金具が一方向に延びるように形成されていることから、燃料タンク本体に給油口蓋が螺合接続された後の位置によっては、回り止め金具を取付けることができないという問題があった。そのため、燃料タンク本体に対する給油口蓋の螺合を少し緩めると共に両者間にパッキンを介装したり、回り止め金具の端部を切削したりしなければならず、面倒であった。
【０００６】
本発明は、このような従来技術に存在する問題点に着目してなされたものである。その目的とするところは、簡単な構成で、容易な操作により施錠を行うことができるねじ栓の施錠装置を提供することにある。
【課題を解決するための手段】
【０００７】
上記の目的を達成するために、請求項１に記載の発明のねじ栓の施錠装置は、ねじ栓が本体に螺合されて開口部を閉塞し、該ねじ栓上に突設された係合突起には施錠孔を設けると共に、前記係合突起が挿通される係合孔を有し、該係合孔に挿通された状態で本体に対して回動が規制される回り止め金具を備え、前記施錠孔に鍵をかけることにより回り止め金具の抜け止めを行い、ねじ栓による閉塞状態を保持するための施錠装置であって、前記回り止め金具の係合孔が交差する方向に延び、両方向で係合突起に係合できるように構成されていることを特徴とするものである。
【０００８】
請求項２に記載の発明のねじ栓の施錠装置は、請求項１に係る発明において、前記ねじ栓は、タンク本体の開口部に設けられているものであることを特徴とするものである。
請求項３に記載の発明のねじ栓の施錠装置は、請求項１又は請求項２に係る発明において、前記回り止め金具の係合孔は十字状に延び、直交方向で係合突起に係合できるように構成されていることを特徴とするものである。
【０００９】
請求項４に記載の発明のねじ栓の施錠装置は、請求項１又は請求項２に係る発明において、前記回り止め金具は、本体に対して回動が規制される第１回り止め金具と、その上に重ねて配置され第１回り止め金具に対して回動が規制される第２回り止め金具とを備え、第１回り止め金具の第１係合孔は係合突起が回動可能となるように円孔状に形成され、第２回り止め金具の第２係合孔は交差する方向に延び、両方向で係合突起に係合できるように構成されていることを特徴とするものである。
【発明の効果】
【００１０】
本発明によれば、次のような効果を発揮することができる。
請求項１に記載の発明のねじ栓の施錠装置では、回り止め金具の係合孔が交差する方向に延び、両方向で係合突起に係合できるように構成されていることから、一方の方向に延びる係合孔が係合突起に係合できない場合には他の方向に延びる係合孔が係合突起に係合することができる。従って、簡単な構成で、容易な操作により施錠を行うことができる。
【００１１】
請求項２に記載の発明のねじ栓の施錠装置では、ねじ栓がタンク本体の開口部に設けられていることから、燃料などが収容されたタンクについて請求項１に係る発明の効果を発揮させることができる。
【００１２】
請求項３に記載の発明のねじ栓の施錠装置では、回り止め金具の係合孔は十字状に延び、直交方向で係合突起に係合できるように構成されていることから、回り止め金具が一方の方向で使用できない場合には９０度回動させることにより容易に使用することができ、請求項１に係る発明の効果を向上させることができる。
【００１３】
請求項４に記載の発明のねじ栓の施錠装置では、第１回り止め金具と第２回り止め金具とが設けられていることから、請求項１又は請求項２に係る発明の効果に加え、設計の自由度を高めることができ、外観を向上させることができる。
【発明を実施するための最良の形態】
【００１４】
以下、本発明の最良と思われる実施形態につき、図面を用いて詳細に説明する。
（第１実施形態）
図１〜図３に示すように、ガソリン、灯油、重油等を貯蔵するための地下タンク貯蔵装置などのタンク本体１１の開口部１２はほぼ円筒状に形成され、その内周面には雌ねじ１３が螺刻されると共に、外周面には１８０度対向する位置に上下方向に延びる一対の回動規制凹部１４が凹設されている。前記雌ねじ１３にはねじ栓１５の雄ねじ１６が螺合され、タンク本体１１の開口部１２を閉塞できるようになっている。ねじ栓１５上には矩形状の係合突起１７が突設され、該係合突起１７には円孔状の施錠孔１８が透設されている。
【００１５】
前記回動規制凹部１４には第１回り止め金具１９の１８０度対向する位置に折曲げ形成された一対の回動規制用脚部１９ａが係合され、タンク本体１１に対する第１回り止め金具１９の回動が規制されている。この第１回り止め金具１９は上下方向には移動可能である。第１回り止め金具１９の中心には第１係合孔としての円孔１９ｂが透設されると共に、その外周が円形状に形成され、ねじ栓１５上の係合突起１７が挿入された状態で、ねじ栓１５が自由に回動できるようになっている。第１回り止め金具１９上には第２回り止め金具が重ねて配置されている。
【００１６】
係る第２回り止め金具２０はほぼ円板状に形成され、その１８０度対向する位置には係止脚部２０ａがその両端部を下方へ折曲げて形成されている。この係止脚部２０ａは、第１回り止め金具１９の回動規制用脚部１９ａよりも内側に位置し、第１回り止め金具１９の外周に沿って回動できるようになっている。第２回り止め金具２０が一定角度回動されたとき（図３（ａ）の二点鎖線を参照）、係止脚部２０ａが第１回り止め金具１９に当接して回り止めされるように構成されている。この第２回り止め金具２０は、上下方向には移動可能になっている。第２回り止め金具２０の中心には十字状に延びる第２係合孔としての係合孔２１が設けられ、直交方向でねじ栓１５の係合突起１７に係合できるように構成されている。この係合孔２１は一方方向に延びる係合孔２１ａと、その係合孔２１ａに対して直交方向に延びる係合孔２１ｂとより構成されている。
【００１７】
図２に示すように、第１回り止め金具１９が第２回り止め金具２０上に重ねて配置された後に、前記ねじ栓１５の係合突起１７に形成された施錠孔１８に鍵２２が挿通され、ロックされて施錠装置による施錠が終了されるようになっている。この状態で鍵２２のロックにより第１回り止め金具１９及び第２回り止め金具２０の上方への抜け出しが防止されると同時に、第１回り止め金具１９及び第２回り止め金具２０の回動も防止される。
【００１８】
さて、第１実施形態の施錠装置について作用を説明すると、給油操作が終了してタンク本体１１の開口部１２を閉塞する場合には、ねじ栓１５の雄ねじ１６をタンク本体１１の雌ねじ１３に螺合させる。続いて、第１回り止め金具１９をその円孔１９ｂにねじ栓１５の係合突起１７が挿通されるようにして回動規制用脚部１９ａをタンク本体１１の回動規制凹部１４に係合させる。次いで、第２回り止め金具２０をその係合孔２１にねじ栓１５の係合突起１７を嵌挿させるようにして第１回り止め金具１９上に重ねる。
【００１９】
このとき、第２回り止め金具２０の係合孔２１が十字状に形成されていることから、一方の方向に延びる係合孔２１ａに係合突起１７を嵌挿させたとき係止脚部２０ａが第１回り止め金具１９の回動規制用脚部１９ａの部分に当って係合できない場合には、９０度回動させ直交方向に延びる係合孔２１ｂに係合突起１７を嵌挿させる。その結果、係合孔２１ｂに係合突起１７を速やかに係合させることができ、図３（ａ）〜（ｃ）に示す状態に到る。この状態では、図３（ａ）の二点鎖線に示すように、第２回り止め金具２０を回動させると、係止脚部２０ａが第１回り止め金具１９の回動規制用脚部１９ａの部分に当ってそれ以上の回動が停止される。その後、図２に示すように、第２回り止め金具２０の係合孔２１に鍵２２の作動アーム２２ａを通してロックすることにより、第１回り止め金具１９及び第２回り止め金具２０の上方への抜け出しが防止される。
【００２０】
次に、タンク本体１１の開口部１２を開いて給油操作を行う場合には、上記とは逆の操作を行う。すなわち、まず鍵２２を開錠して外した後、第２回り止め金具２０を上方へ抜き出し、続いて第１回り止め金具１９を上方へ抜き出す。この状態で、ねじ栓１５の雄ねじ１６をタンク本体１１の開口部１２の雌ねじ１３に対して螺退させ、ねじ栓１５をタンク本体１１の開口部１２から外すことにより、給油操作を行うことができる。
【００２１】
以上の第１実施形態によって発揮される効果について、以下に記載する。
・  第１実施形態の施錠装置では、第２回り止め金具２０の係合孔２１が十字状に延び、直交方向で係合突起１７に係合できるように構成されていることから、一方の方向に延びる係合孔２１ａに係合突起１７を係合できない場合には他の方向に延びる係合孔２１ｂに係合突起１７を容易に係合させることができる。従って、従来のようにタンク本体１１とねじ栓１５との間にパッキンを介装したり、第２回り止め金具２０の端部を切削したりする必要がない。
【００２２】
・  回り止め金具として第１回り止め金具１９と第２回り止め金具２０とが設けられている。このため、後述する第２実施形態の場合に比べて、第１回り止め金具１９はタンク本体１１に対する回り止め及び第２回り止め金具２０は第１回り止め金具１９に対する回り止めの機能を発現できれば良く、それぞれ単一の機能であるため設計の自由度を高めることができる。さらに、第１回り止め金具１９の大きな回動規制用脚部１９ａを回動規制凹部１４に収容できるため、第２実施形態の係止脚部２３ａのように露出することがなく外観を向上させることができる。
【００２３】
・  回り止め金具が第１回り止め金具１９と第２回り止め金具２０とで構成されているため、第２実施形態の回り止め金具２３に比べて薄く、軽く形成することができ、係合孔２１の位置を変更する場合などの作業性及び取扱性を向上させることができる。
（第２実施形態）
次に、本発明の第２実施形態について、図４〜６に基づいて説明する。この第２実施形態では、主として第１実施形態と異なる部分について説明する。
【００２４】
第２実施形態では、回り止め金具２３は第１実施形態の第２回り止め金具２０に相当する１つの金具で構成されている。すなわち、図４に示すように、回り止め金具２３は係止脚部２３ａが前記第２回り止め金具２０の係止脚部２０ａよりも大きく、かつ長く形成されると共に、係合孔２１はねじ栓１５の係合突起１７に対応するように十字状に形成されている。そして、図５に示すように、係合孔２１に係合突起１７が嵌挿されるようにして回り止め金具２３がねじ栓１５上に被せられる。図５及び図６（ａ）、（ｂ）に示すように、タンク本体１１の開口部１２には１８０度対向する位置に回り止め金具２３の回動を規制する回動規制凸部２４が設けられている。
【００２５】
図６（ａ）の二点鎖線に示すように、回り止め金具２３がねじ栓１５上に被せられた状態でねじ栓１５を緩めるように図中反時計方向に回動させると回り止め金具２３も同様に回動し、その係止脚部２３ａがタンク本体１１の回動規制凸部２４に当接してそれ以上の回動が防止される。従って、第２実施形態では第１実施形態に比べて、回り止め金具２３が１つで済むことから構成を簡単にできると共に、施錠操作及び開錠操作をより容易に行うことができる。
【００２６】
なお、本実施形態は、次のように変更して実施することも可能である。
・  図７に示すように、第１実施形態における第２回り止め金具２０及び第２実施形態における回り止め金具２３の係合孔２１が９０度以外の交差する方向に延びるように構成することができる。
【００２７】
・  ねじ栓１５が螺合される本体として、暖房用のボイラー、燃料油ストーブ等のタンク、自動車修理工場のエンジンオイル貯蔵タンクなどに適用することもできる。
・  タンク本体１１の開口部１２における雌ねじ１３とねじ栓１５における雄ねじ１６とについて、開口部１２側を雄ねじとし、ねじ栓１５側を雌ねじとすることも可能である。
【００２８】
さらに、前記実施形態より把握できる技術的思想について以下に記載する。
・  前記第２回り止め金具の係合孔は十字状に延び、直交方向で係合突起に係合できるように構成されていることを特徴とする請求項４に記載のねじ栓の施錠装置。このように構成した場合、第２回り止め金具が一方の方向で使用できない場合には９０度回動させることにより容易に使用することができ、請求項４に係る発明の効果を向上させることができる。
【００２９】
・  ねじ栓が本体に螺合されて開口部を閉塞し、該ねじ栓上に突設された係合突起には施錠孔を設けると共に、前記係合突起が挿通される係合孔を有し、該係合孔に挿通された状態で本体に対して回動が規制される回り止め金具を備え、前記施錠孔に鍵をかけることにより回り止め金具の抜け止めを行い、ねじ栓による閉塞状態を保持する施錠方法であって、前記回り止め金具の係合孔が交差する方向に延び、両方向で係合突起に係合できるように構成されていることを特徴とするねじ栓の施錠方法。この施錠方法によれば、簡単な構成の施錠装置を用い、施錠操作を容易に行うことができる。
【図面の簡単な説明】
【００３０】
【図１】第１実施形態におけるねじ栓の施錠装置を示す分解斜視図。
【図２】ねじ栓の施錠装置を組付け、鍵で施錠した状態を示す斜視図。
【図３】（ａ）はねじ栓の施錠装置を示す平面図、（ｂ）はねじ栓の施錠装置を示す正面図、及び（ｃ）はねじ栓の施錠装置を示す側面図。
【図４】第２実施形態におけるねじ栓の施錠装置の回り止め金具を示す斜視図。
【図５】ねじ栓の施錠装置を組付けた状態を示す斜視図。
【図６】（ａ）はねじ栓の施錠装置を示す平面図、及び（ｂ）はねじ栓の施錠装置を正面から見た半断面図。
【図７】別例の回り止め金具の係合孔を示す平面図。
【符号の説明】
【００３１】
１１…タンク本体、１２…開口部、１５…ねじ栓、１７…係合突起、１８…施錠孔、１９…第１回り止め金具、２０…第２回り止め金具、２１、２１ａ、２１ｂ…係合孔、２２…鍵、２３…回り止め金具。
【図１】
2007326615.tif 000003
【図２】
2007326615.tif 000004
【図３】
2007326615.tif 000005
【図４】
2007326615.tif 000006
【図５】
2007326615.tif 000007
【図６】
2007326615.tif 000008
【図７】
2007326615.tif 000009